(57)【要約】【課題】インターネット電話システムの上に構築する音声通話システムを提供する。【解決手段】本発明のインターネット電話システムの上に構築する音声通話システムにおいて、既存の使用習慣を変える必要なく、インターネット電話システムを介して、アナログおよびインターネット電話装置に相互に音声通話を行わせることができる。アナログ電話装置がインターネット電話システムに登録できるように、本発明のシステム中の通信仲介装置は、アナログ電話装置をインターネット電話システム中のインターネット電話ユーザサービスに置き換える必要があり、アナログ/デジタル信号変換によって、通話目的を達成する。予めレジストレーションされたデータによって、インターネット電話が相手の電話番号を知っているだけで、自動的に電話番号を対応するインターネット電話アカウントに変換でき、インターネット電話システムを介して呼び出しを行うことができる。【選択図】図２
2008079290.tif 000002
【特許請求の範囲】
【請求項１】
インターネット電話システムを介してアナログ電話装置とインターネット電話装置を相互に音声通話させ、且つ該インターネット電話システムにおいて、該インターネット電話装置がその属するインターネット電話アカウントに対する呼び出しの受信および/または音声通話の実行をできるインターネット電話システムの上に構築する音声通話システムであって、
該アナログ電話装置に電気接続し、
該アナログ電話装置が発信する電話番号をデジタル信号に変換し、且つ該インターネット電話システムのデジタル信号をアナログ信号に変換することに用いるアナログ/デジタル信号変換モジュールと、
デジタル信号の電話番号を対応する該インターネット電話アカウントに変換することに用いる変換モジュールと、
該インターネット電話システム中のユーザ端末プロセスとして既に該インターネット電話システム中に登録し、該変換モジュールが変換した該インターネット電話アカウントに基づき、該インターネット電話システムを介して該インターネット電話アカウントに対応した該インターネット電話装置に呼び出し、該アナログ電話装置、該インターネット電話装置に音声通話を行わせるインターネット電話モジュールと、
を含む通信仲介装置
を含むインターネット電話システムの上に構築する音声通話システム。
【請求項２】
前記音声通話システムが更に、
複数の対応データを保存し、各対応データが該電話番号により該インターネット電話アカウントに対応する対応データベースと、
該変換モジュールからの該電話番号に基づき、該対応データベースから対応する該インターネット電話アカウントを検出し、該変換モジュールに応答する提供モジュールと、
を含む主制御装置
を含む請求項１記載のインターネット電話システムの上に構築する音声通話システム。
【請求項３】
前記変換モジュールが該電話番号に基づき、該提供モジュールから対応する該インターネット電話アカウントを獲得した後、該電話番号、該インターネット電話アカウントの対応関係を、該通信仲介装置の保存媒体中に保存し、該変換モジュールが該電話番号を対応する該インターネット電話アカウントに直接変換できる
請求項２記載のインターネット電話システムの上に構築する音声通話システム。
【請求項４】
前記アナログ電話装置が専用の自動式構内交換設備（PABX ＝Private Automatic Branch Exchange)に接続する電話設備に属し、内線番号を有し、且つ該専用の自動式構内交換設備と該通信仲介装置の該アナログ/デジタル信号変換モジュールの間に、複数の通信経路を有し、且つ該専用の自動式構内交換設備が総合代表番号を有し、該総合代表番号が対応する該インターネット電話アカウントを有し、該音声通話システムが更に、
複数の状態データを保存し、各保存データが該総合代表番号により該通信経路の使用状態に対応し、該使用状態が使用中、空線であることができる複数の通信経路の使用状態データベースと、
該通信仲介装置からの通知に基づき、該総合代表番号を該通信経路に対応した該使用状態に変更する更新モジュールと、
を含む主制御装置
を含む請求項１記載のインターネット電話システムの上に構築する音声通話システム。
【請求項５】
前記通信仲介装置の通知が、該アナログ/デジタル信号変換モジュールおよび/または該インターネット電話モジュールが発信する該アナログ電話装置の発信または切断通知、または該変換モジュールが該電話番号に基づき対応する該インターネット電話アカウントを検出中であることができる請求項４記載のインターネット電話システムの上に構築する音声通話システム。
【請求項６】
前記通信経路の該使用状態がいずれも使用中である時、該主制御装置が該通信仲介装置に該アナログ電話装置が行いたい発信がいずれも使用中であることを応答する請求項４記載のインターネット電話システムの上に構築する音声通話システム。
【請求項７】
前記通信経路の該使用状態のうち１つが空線である時、該主制御装置が該通信仲介装置に該アナログ電話装置が行いたい発信が空線であること、および対応する該インターネット電話アカウントを応答し、該通信仲介装置に該アナログ電話装置の呼び出しを接続する請求項４記載のインターネット電話システムの上に構築する音声通話システム。
【請求項８】
前記音声通話システムが更に、
該複数の通信経路の使用状態データベース中の該通信経路の該使用状態中から予定時間を超過しても依然として該使用中である該通信経路を検出した時、正常に使用中であるか否かを検証する検証モジュール
を含む主制御装置
を含む請求項４記載のインターネット電話システムの上に構築する音声通話システム。
【請求項９】
前記音声通話システムが更に、
複数のオーバーフロー記録を保存し、各オーバーフロー記録が該総合代表番号によりオーバーフロー通知に対応するオーバーフローデータベースと、
該複数の通信経路の使用状態データベース中の該状態データに基づき、該総合代表番号が対応する該通信経路の該使用状態を検証し、いずれも該使用中である場合、該オーバーフローデータベース中の該総合代表番号が対応する該オーバーフロー通知を更新するオーバーフローモジュールと、
を含む主制御装置
を含む請求項４記載のインターネット電話システムの上に構築する音声通話システム。
【請求項１０】
前記音声通話システムが更に、
該オーバーフローデータベース中の該オーバーフロー記録に基づき、該総合代表番号が対応する該通信経路の該オーバーフロー通知を検証し、予定の頻度において該オーバーフロー通知が継続発生する時、継続オーバーフロー通知を発信する継続オーバーフローモジュールと、
を含む主制御装置
を含む請求項９記載のインターネット電話システムの上に構築する音声通話システム。
【請求項１１】
前記音声通話システムが更に、
該レジストレーションデータを収集し、該レジストレーションデータが少なくとも該電話番号および該総合代表番号のうち１つ、および対応する該インターネット電話アカウントを含むレジストレーションモジュールと、
該レジストレーションモジュールからの該レジストレーションデータを受信する時、該対応データベース中の該対応データを更新する更新モジュールと、
を含む主制御装置
を含む請求項１記載のインターネット電話システムの上に構築する音声通話システム。
【請求項１２】
前記主制御装置が該インターネット電話アカウントを含む簡易メールおよび簡易メールを発送する電話番号（callerID）を電話番号として、該レジストレーションデータ中の該インターネット電話アカウント、該電話番号を収集することができる請求項１１記載のインターネット電話システムの上に構築する音声通話システム。
【請求項１３】
前記レジストレーションモジュールがレジストレーションインターフェイスによって、使用者が発送した後、該レジストレーションデータ中の該総合代表番号、および対応する該インターネット電話アカウント、会社名称を収集することができる請求項１１記載のインターネット電話システムの上に構築する音声通話システム。
【請求項１４】
前記インターネット電話装置が、更に、
該主制御装置の該対応データベースが保存する該対応データに基づき、該電話番号により該主制御装置の該提供モジュールに向かって対応する該インターネット電話アカウントを取得する変換ツール
を含む請求項２記載のインターネット電話システムの上に構築する音声通話システム。
【発明の詳細な説明】
【技術分野】
【０００１】
本発明は、音声通話システムに関し、特に、インターネット電話システムの上に構築する音声通話システムに関する。
【背景技術】
【０００２】
即時通信ソフトウェア（IM，Instant Messenger ，即ちYahoo! Messenger、GOOGLE TALK、QQ、 MSN または ICQの類のソフトウェア）の発展に従い、現在、単純な即時文字コミュニケーション以外に、更にボイスコミュニケーションに発展し、そのうち、特にピアツーピアを採用したｓｋｙｐｅの発展は最も迅速である。
【０００３】
この種のインターネット電話は、無料であり、通信品質は益々良好になっているが、但し、実際に使用する人々はインターネット使用者に限られ、ただ従来の電話の使用だけを理解している人にとって、インターネット電話は非常に困難である。したがって、インターネット電話の発展は、パソコン、インターネットの使用が不得意な人が如何にインターネット電話の長所を利用できるようするかの段階に入っている。
【０００４】
従来技術において、従来の電話、インターネット電話システムを１つに整合したものは、大部分は、パソコン、パソコンの操作から離脱しておらず、電話機がＵＳＢインターフェイスを介してパソコンに接続して、電話の発着信を行い、依然としてパソコン操作が必要である。他種のＩＰインターネット電話機は、一般の電話のように使用できるが、使用上、ただ同一のＩＰインターネット電話機とのみ通話ができ、全てのインターネット電話システムを整合することができず、例えば、ダイヤルアップＳｋｙｐｅのサービス等である。
【０００５】
インターネット電話と従来のアナログ電話装置を相互に通話できるようにするため、Ｓｋｙｐｅシステム中に既にＳｋｙｐｅＯｕｔの機能が発展しており、既存のアナログ電話システムを介して発信したいアナログ電話に転送することができる。しかしながら、この種の転換方法は、固定インターネット事業者と協力する必要があり、通話音声も固定インターネット電信の電信設備、回線を介してはじめてアナログ電話装置に転送され、固定インターネット業者に一定の費用を払わなければならず、発生する費用は、使用者の負担となる。Ｓｋｙｐｅｏｕｔが有料であるか否かに係わらず、従来のアナログ電話装置がインターネット電話に発信しようとするとき、Ｓｋｙｐｅのサービスは、現在依然として不可能である。
【０００６】
従来のアナログ電話装置は数字キーを提供するだけであるので、パソコンのように英文、中国語文形態のインターネット電話アカウントを入力することはできないので、従来のアナログ電話装置をインターネット電話と通話させるためには、これらの問題を解決する必要がある。
【０００７】
固定インターネットの使用から完全に離れて、インターネット電話とアナログ電話が相互に通話できるようにするため、従来技術中、中華民国専利公告第Ｍ２８４１５５号の専利「インターネット電話変換ボックス」が既に提出されている。この従来技術中、電話番号およびインターネット電話番号の間の変換は、アナログ電話が数字だけしか押すことができない問題を克服する以外に、更に完全なインターネット電話システムを介した通話の実行を達成することができる。
【０００８】
しかしながら、従来技術において、電話番号とインターネット電話番号の間の対照表は、いずれも各自、現地端末（即ち、電話装置同様にオフィスや家の中）に保存しなければならず、対応データが円滑に分かち合うことができない。更に、アナログ電話装置が専用の自動式構内交換設備（PABX ＝Private Automatic Branch Exchange)に接続する電話交換機に属する時、この種の従来技術は応用することができない。
【０００９】
一般に、企業が１０本の通話回線を申請する時でも、外部に対して公布する電話番号は１つの代表番号だけであるので、上記従来技術のインター別途電話変換ボックスを採用する場合、内線番号を押す時に接続できるかもしれないが（事実上接続に問題を有する恐れがある）、１０本の回線が使用中である時、従来の技術が対応する処理機制に欠乏しており、全体の電話システムが、それにより容易に問題が発生する。
【特許文献１】中華民国専利公告第Ｍ２８４１５５号公報
【発明の開示】
【発明が解決しようとする課題】
【００１０】
本発明の目的は、集中管理された電話番号/インターネット電話アカウント変換、アナログ/デジタル変換によって、インターネット電話が相手の電話番号を知っているだけで、自動的にインターネット電話アカウントに電話番号変換し、インターネット電話システムを介して呼び出しできるインターネット電話システムの上に構築する音声通話システムを提供する。
【課題を解決するための手段】
【００１１】
本発明のインターネット電話システムの上に構築する音声通話システムは、インターネット電話システムを介してアナログ電話装置とインターネット電話装置を相互に音声通話させ、且つ該インターネット電話システムにおいて、該インターネット電話装置がその属するインターネット電話アカウントに対する呼び出しの受信および/または音声通話の実行をできるインターネット電話システムの上に構築する音声通話システムであって、該音声通話システムが、該アナログ電話装置に電気接続し、該アナログ電話装置が発信する電話番号をデジタル信号に変換し、且つ該インターネット電話システムのデジタル信号をアナログ信号に変換することに用いるアナログ/デジタル信号変換モジュールと、デジタル信号の電話番号を対応する該インターネット電話アカウントに変換することに用いる変換モジュールと、該インターネット電話システム中のユーザサービス端末プロセスとして既に該インターネット電話システム中に登録し、該変換モジュールが変換した該インターネット電話アカウントに基づき、該インターネット電話システムを介して該インターネット電話アカウントに対応した該インターネット電話装置に呼び出し、該アナログ電話装置、該インターネット電話装置に音声通話を行わせるインターネット電話モジュールと、を含む通信仲介装置を含む。
【発明の効果】
【００１２】
上記の目的に基づき、本発明のインターネット電話システムの上に構築する音声通話システムにおいて、既存の使用習慣を変える必要なく、インターネット電話システムを介して、アナログおよびインターネット電話装置に相互に音声通話を行わせることができる。アナログ電話装置がインターネット電話システムに登録できるように、本発明のシステム中の通信仲介装置は、アナログ電話装置をインターネット電話システム中のインターネット電話ユーザサービスに置き換える必要があり、アナログ/デジタル信号変換によって、通話目的を達成する。予めレジストレーションされたデータによって、インターネット電話が相手の電話番号を知っているだけで、自動的に電話番号を対応するインターネット電話アカウント番号に変換でき、インターネット電話システムを介して呼び出しを行うことができる。
【発明を実施するための最良の形態】
【００１３】
図１は、本発明のインターネット電話システムの上に構築する音声通話システムの説明図である。図１に示すように、本発明のインターネット電話システムの上に構築する音声通話システムは、既存のインターネット電話システム１０（例えば、Ｓｋｙｐｅ）または自ら開発したデジタル音声伝達手段を利用し、如何なる経路（有線またはＷｉｍａｘ/Ｗｉｆｉ１１の無線）を採用して登録したインターネット電話装置（即ち、ユーザ端末を実行するプロセスのモバイルインターネット装置１２ａ、インターネット装置１２ｂ）であるか、発信端末の通信仲介装置１８を介して進入したアナログ電話装置１４ａ〜１４ｃであるかに係わらず、いずれもインターネット電話システム１０にそれぞれレジストレーションし、インターネット電話装置Ａ１０ａ、インターネット電話システム１０Ｂ１０ｂ、インターネット電話装置Ｃ１０ｃを取得する必要があり、相互に通話する前にインターネット電話システム１０のプロセスを完成させる必要がある。
【００１４】
インターネット電話システム１０のユーザ端末プロセスを実行するモバイルインターネット装置１２ａ、インターネット装置１２ｂは、それが所属するインターネット電話アカウントＡ，Ｂに対する呼び出しおよび/または音声通話の実行を受信することができる。即ち、インターネット装置１２ｂはインターネット電話システム１０中のインターネット電話アカウントＢ１０ｂを介してインターネット電話アカウントＡ１０ａに呼び出しできる。
【００１５】
アナログ電話装置１４ａについて言えば、それは、独立したインターネット電話アカウントを有する。アナログ電話装置１４ｂ〜１４ｃはいずれも専用の自動式構内交換設備１６（PABX ＝Private Automatic Branch Exchange)に接続する電話設備に属し、内線番号を有するので、専用の自動式構内交換設備１６（PABX ＝Private Automatic Branch Exchange)が有する総合代表番号の対応インターネット電話アカウントを共用しているが、専用の自動式構内交換設備１６（PABX)は依然として通常の交換機と同様に複数の通信経路を有しアナログ電話装置１４ｂ〜１４ｃを使用できるようにする。
【００１６】
上記発信端末の通信仲介装置１８は事実上一台のサーバー級のコンピューターであることができるので、それもインターネット電話システム１０のユーザ端末プロセスを実行することができ、図１に示すようにインターネット電話システム１０中に登録することができ、本発明の技術的特徴を達成するために、パッケージ式を用いてユーザ端末プロセスをパッケージする必要があり、元々スピーカーから発生される音声等のフローを、本発明の発信端末の通信仲介装置１８中のユニットに転送するように変更する。
【００１７】
本発明のインターネット電話システムの上に構築する音声通話システムにおいて、合計３つの異なる通信モデルがあり、例えば、アナログ電話装置１４ｂまたは１４ａがインターネット装置１２ａのインターネット電話装置に呼び出しする、インターネット装置１２ｂのインターネット電話装置がアナログ電話装置１４ｂまたは１４ａに呼び出しする、図９に示すように、アナログ電話装置１４ａがインターネット電話システム１０を介してアナログ電話装置１４ｄに呼び出しするものであり、この３種の通信モデルを、それぞれ実施例を用いて説明する。
【００１８】
図２は、本発明のインターネット電話システムの上に構築する音声通話システムの第１実施例の説明図である。図２に示すように、本発明のインターネット電話システムの上に構築する音声通話システム中、発信端末の通信仲介装置１８はアナログ/デジタル信号変換モジュール２０、変換モジュール２２、インターネット電話モジュール２４を含み、アナログ電話装置１４ａに電気接続し、アナログ電話装置１４ｂ、１４ｃに間接的に接続する。そのうち、インターネット電話モジュール２４は、上記インターネット電話システム１０のユーザ端末プロセスである。
【００１９】
図２に示すように、アナログ電話装置１４ａがインターネット装置１２ａのインターネット電話装置に呼び出しを試みる時、使用者はインターネット装置１２ａの模擬電話番号を既に知っているので、使用者は従来の電話と同様に発信し、直接に電話装置の数字キーで模擬電話番号を押すことができる。発信端末の通信仲介装置１８中のアナログ/デジタル変換モジュール２０はこの模擬電話番号を受信する時、アナログ電話装置１４ａが発信する電話番号をデジタル信号に変換する。その後、変換モジュール２２が外部の主制御装置３０（図３参照）または内蔵保存ユニットからのデータに基づき、デジタル信号の電話番号を対応するインターネット電話アカウントＡに変換する。最後に、インターネット電話モジュール２４を利用してインターネット電話システム１０を介して対応するインターネット電話アカウントのインターネット電話装置（即ち、インターネット装置１２ａ）に呼び出し、アナログ電話装置１４ａ、インターネット電話装置（即ち、インターネット装置１２ａ）に音声通話を行わせる。インターネット電話システム１０が応答または通話音声を有する時、アナログ/デジタル信号変換モジュール２０がアナログ信号に変換した後、アナログ電話装置１４ａに伝達する。
【００２０】
図２に示すように、アナログ電話装置１４ｂがインターネット装置１２ａのインターネット電話装置に呼び出しを試みる時、アナログ電話装置１４ｂは、専用の自動式構内交換設備１６（PABX ＝Private Automatic Branch Exchange)に接続する電話設備に属することによって、使用者はインターネット装置１２ａの模擬電話番号を既に知っているので、使用者は外線電話を発信するのと同様に、まず例えば「＊９」を押す必要があり、専用の自動式構内交換設備１６（PABX ＝Private Automatic Branch Exchange)、発信端末の通信仲介装置１８の間の複数の通信経路中の１つを使用し、その後、電話装置の数字キーの模擬電話番号を押すだけでよい。
【００２１】
同様に、発信端末の通信仲介装置１８中のアナログ/デジタル信号変換モジュール２０が模擬電話番号を受信する時、アナログ電話装置１４ｂが発信する電話番号をデジタル信号に変換する。その後、変換モジュール２２が外部の主制御装置３０または内蔵保存ユニットからのデータに基づき、デジタル信号の電話番号を対応するインターネット電話アカウントＡに変換する。最後に、インターネット電話モジュール２４を利用してインターネット電話システム１０を介して対応するインターネット電話アカウントのインターネット電話装置（即ち、インターネット装置１２ａ）に呼び出し、アナログ電話装置１４ｂ、インターネット電話装置（即ち、インターネット装置１２ａ）に音声通話を行わせる。インターネット電話システム１０が応答または通話音声を有する時、アナログ/デジタル信号変換モジュール２０がアナログ信号に変換した後、アナログ電話装置１４ｂに伝達する。
【００２２】
図３〜図４は、本発明のインターネット電話システムの上に構築する音声通話システムの第２実施例の説明図である。図３に示すように、本発明のインターネット電話システムの上に構築する音声通話システムにおいて、図１に示すインターネット電話システム１０、インターネット装置１２ａ、インターネット装置１２ｂ、発信端末の通信仲介装置１８、アナログ電話装置１４ａ〜１４ｃ、インターネット電話装置Ａ１０ａ、インターネット電話装置Ｂ１０ｂ、インターネット電話装置Ｃ１０ｃ、専用の自動式構内交換設備１６（ＰＡＢＸ）以外に、主制御装置３０を含む。
【００２３】
本発明のインターネット電話システムの上に構築する音声通話システムにおいて、主制御装置３０は専用の自動式構内交換設備１６、発信端末の通信仲介装置１８の間の複数の通信経路が使用中であるか否かまたは空いていれば使用を提供する処理を行うことができ、且つ全ての電話番号または総合代表番号（専用の自動式構内交換設備１６に属する）が対応するインターネット電話アカウントの対応データを集中管理することができる。
【００２４】
図４に示すように、本発明は、インターネット電話システムの上に構築する音声通話システムにおいて、主制御装置３０は、状態データベース３８、更新モジュール３６、対応データベース３４、提供モジュール３２、検証モジュール４０を含む。但し、主制御装置３０は、ただデータを対応させる機能を提供することだけできればよいので、対応データベース３４、提供モジュールを含むだけでもよい。主制御装置３０が複数の通信経路の使用状態を提供する時、複数の通信経路の使用状態データベース３８、更新モジュール３６を含むだけでよい。
【００２５】
全ての電話番号または総合代表番号が対応するインターネット電話アカウントの対応データを集中管理する時、主制御装置３０中の提供モジュールが変換モジュール２２からの電話番号に基づき、対応データベース３４から対応するインターネット電話アカウントを検出し、変換モジュール２２に応答する。対応データベース３４に保存される複数の対応データは、各対応データが電話番号によってインターネット電話アカウントに対応する。
【００２６】
特に注意すべきことは、変換モジュール２２は、電話番号に従うので、提供モジュール３２が対応するインターネット電話アカウントを獲得した後、電話番号、インターネット電話アカウントの対応関係を、発信端末の通信仲介装置１８の保存媒体中に保存し、変換モジュール２２が直接電話番号を対応するインターネット電話アカウントに変換することができることである。このようにして、上記変換作業を迅速に完成するだけではなく、更に主制御装置３０から対応データを円滑に取得することができない時、古い対応データに基づいて使用者の発信要求を完成することができる。
【００２７】
専用の自動式構内交換設備１６（ＰＡＢＸ）、発信端末の通信仲介装置１８の間の複数の通信経路において、全て使用中ではないかまたは空いている線があり、使用させるかを処理する時、まず、複数の通信経路の使用状態を収集する必要がある。使用状態を収集するため、更新モジュール３６は発信端末の通信仲介装置１８からの通知に基づき、複数の通信経路の使用状態データベース３８中の総合代表番号が対応する該通信経路の使用状態を変更する。複数の通信経路の使用状態データベース３８が保存する複数の状態データが、各状態データが、総合代表番号が通信経路の使用状態に対応して、使用状態が使用中か、線に空きがあるかを分けることができる。
【００２８】
上記発信端末の通信仲介装置１８の通知は、アナログ/デジタル信号変換モジュール２０および/またはインターネットモジュール２４が発信するアナログ電話装置１４ａ〜１４ｃの発信または切断通知（一般の電話のように、通話の双方がいずれも先に切断することができるので、切断通知が通話双方のうちの片側からであることができる）、または変換モジュール２２が電話番号に基づき、対応するインターネット電話アカウントを検出中であることができる。
【００２９】
このようにして、該通信経路の使用状態はいずれも使用中であり、アナログ電話装置１４ａ〜１４ｃが電話に発信する必要がある時、主制御装置３０が発信端末の通信仲介装置１８に応答し、アナログ電話装置１４ａ〜１４ｃが行おうとする発信がいずれも使用中である時、暫く暫定的に発信サービスを提供できず、従来技術のように、ここで支障が生じ、更にはフリーズ停止してしまうことがない。使用者が電話を切断した後、該通信経路の該使用状態のうち１つが空線である時、主制御装置３０が発信端末の通信仲介装置１８に応答し、アナログ電話装置１４ａ〜１４ｃが行おうとする発信が空線であると同時に、前記のように対応するインターネット電話アカウントに応答し、発信端末の通信仲介装置１８にアナログ電話装置１４ａ〜１４ｃの呼び出しを接続させる。
【００３０】
提供モジュール３２は電話番号または総合代表番号に基づき、対応するインターネット電話番号を検出する前に、対応データベース３４の対応データに基づき、電話番号であるか、総合代表番号であるかを確認する必要がある（総合代表番号である場合、会社名データがある）。アナログ電話装置１４ａに属する電話番号である時、提供モジュール３２は、対応するインターネット電話アカウントに直接応答することができる。アナログ電話装置１４ｂのような内線電話である時、まず空線があるかを確認する必要があり、対応するインターネット電話アカウントに直接応答することができず、空線の有無を先に検査する必要がある。
【００３１】
また、発信端末の通信仲介装置１８の数量は、非常に多い可能性があるので、主制御装置３０、発信端末の通信仲介装置１８は送受信インターフェイス（図示せず）を増設し、主制御装置３０、発信端末の通信仲介装置１８の間の通信処理能力を強化することができる。送受信インターフェイス、発信端末の通信仲介装置１８の間は、多くの工程で処理されることが好ましい。
【００３２】
システム動作の円滑さを確保するため、トラブルの原因（コンピューターのフリーズまたは発信した検証パッケージが受信できない）が貴重な通信経路（専用の自動式構内交換設備１６（ＰＡＢＸ）、発信端末の通信仲介装置１８の間に存在する）を占有することを避けるため、主制御装置３０中の検証モジュール４０は、複数の通信経路の使用状態データベース３８中の該通信経路の使用状態から、予定時間を超過した使用中の該通信経路を検出し、正常に使用中であるか否かを検証する。
【００３３】
主制御装置は上記の機能以外に、更にオーバーフローに関する関連データおよび処理モデルを提供することができる。
【００３４】
図５は、本発明の主制御装置の説明図である。図５に示すように、本発明の主制御装置３０は更に、オーバーフローモジュール４４、オーバーフローデータベース４２、継続オーバーフローモジュール４６を含む。
【００３５】
オーバーフローモジュール４４は図４に示すように対応データベース３４中の該使用状態データベースに基づき、総合代表番号が対応する通信経路の使用状態を調査し、全て使用中である場合、オーバーフローデータベース４２中の総合代表番号が対応するオーバーフロー通知を更新する。オーバーフローデータベース４２が保存する複数のオーバーフロー記録は、各オーバーフロー記録が総合代表番号によりオーバーフロー通知に対応する。継続オーバーフローモジュール４６はオーバーフローデータベース４２中の該オーバーフロー記録に基づき、総合代表番号が対応するオーバーフロー通知を検出し、所定の頻度中に継続してオーバーフロー通知が発生する時、継続オーバーフロー通知を発信する。
【００３６】
このようにして、システム人員がこの継続オーバーフロー通知に基づき、適切に専用の自動式構内交換設備１６（ＰＡＢＸ）、通信仲介装置の間の通信経路を増加させることができ、発信端末の通信仲介装置１８中のインターネット電話プロセスも増加させ、発信端末の通信仲介装置１８、専用の自動式構内交換設備１６（ＰＡＢＸ）の接続ポート数を増加させることもできる。
【００３７】
図６は、本発明のレジストレーションプロセスの説明図である。図６に示すように、図４３に示すような対応データベース３４の対応データを新規追加、削除、修正するため、発信端末の通信仲介装置１８が更にレジストレーションモジュール６０を含み、主制御装置３０が更に更新モジュール６４を含む。
【００３８】
インターネット電話モジュール２２４を発信端末の通信仲介装置１８に実装する時、同時にレジストレーションプロセスを実行する。インターネット電話モジュール２４を実装する前、または実装した後、システムオペレーターは、レジストレーションインターフェイス６２を利用して、レジストレーションデータ（少なくとも電話番号および総合代表番号のうち１つ、および対応するインターネット電話アカウント、または会社名称を含む）を書き込み、使用者が発送した後、レジストレーションモジュール６０がこのレジストレーションデータを収集し、主制御装置３０の更新モジュール６４に伝達し、その後、更新モジュール６４が対応データベース３４中の対応データを更新できる。
【００３９】
使用者が携帯電話を介して上記レジストレーションプロセスを完成することもでき、インターネット電話アカウント（好ましくは、先にレジストレーションを完成する）を含む簡易メールを主制御装置３０に発信し、その後、主制御装置３０がインターネット電話アカウントを含む簡易メールを受信し、簡易メールを発送した電話番号（callerＩＤ）を電話番号とし、レジストレーションデータ中のインターネット電話アカウント、電話番号を収集する。
【００４０】
このようにして、本発明のシステム構造に基づき、前記のように、インターネット装置１２ｂの使用者が上記携帯電話に発信して電話をしようとする時、簡易メール中のインターネット電話アカウントを利用し、インターネット電話システム１０を介して携帯電話に呼び出しすることができる。
【００４１】
図７は、本発明の変換ツールの説明図である。図７に示すように、インターネット装置１２ｂまたはモバイルインターネット装置１２ａ（即ちパソコンまたは無線ＰＤＡ）中に実装された変換ツール４０が実行される時、変換ツール５０が上記のような発信プロセスを行おうとする時、専用の自動式構内交換設備１６（ＰＡＢＸ）の総合代表番号を知っていれば、自動的に主制御装置３０の対応データベース３４が保存する該対応データに基づき、総合代表番号または電話番号により主制御装置３０の提供モジュール３２に対応するインターネット電話アカウントを取得し、上記プロセスに基づき、インターネット電話システム１０を介して呼び出しプロセスを完成し、音声通話を行うことができる。
【００４２】
説明した本発明のインターネット電話システムの上に構築する音声通話システムにおいて、例えば、アナログ電話装置１４ｂまたは１４ａがインターネット装置１２ａのインターネット電話装置に呼び出し、続いて、インターネット装置１２ｂのインターネット電話装置が如何にアナログ電話装置１４ｂまたは１４ａに呼び出しするか、および図８に示すようにアナログ電話装置１４ａがインターネット電話システム１０を介してアナログ電話装置１４ｄに呼び出しする場合を説明する。
【００４３】
図８は、本発明のインターネット電話システムの上に構築する音声通話システムの第３実施例の説明図である。図８に示すように、インターネット装置１２ｂのインターネット電話装置はアナログ電話装置１４ｂまたは１４ａを呼び出しする時、受信端末の通信仲介装置１９はただインターネット電話モジュール２４、アナログ/デジタル信号変換モジュール２０を含むだけでよく、単純に受信、発信と通話要求であり、変換モジュール２２を必要としない。
【００４４】
インターネット電話システム１０中のインターネット電話装置（インターネット装置１２ｂ）の呼び出しを受ける時、インターネット電話モジュール２４はアナログ/デジタル信号変換モジュール２０に伝達し、アナログ/デジタル信号モジュール２０がインターネット電話システム１０のデジタル信号をアナログ信号に変換し、特に、インターネット電話システム１０中のインターネット電話装置からの呼び出しをアナログ信号に変換した後、アナログ電話装置１４ｂまたは１４ａに伝達する。アナログ電話装置１４ｂまたは１４ａがこの呼び出しを受けた後、インターネット電話モジュール２４、アナログ/デジタル信号変換モジュール２０の転送、変換の下、アナログ電話装置１４ａまたは１４ｂ、インターネット電話装置に音声通話をさせることができる。
【００４５】
図９は、本発明のインターネット電話システムの上に構築する音声通話システムの第４実施例の説明図である。図９に示すように、異なる会社の間の２つのアナログ電話装置１４ａ、１４ｄが、上記のように既存のインターネット電話システム１０を介して、相互に音声通話をさせることができる時、本発明の音声通話システムは、発信端末の通信仲介装置１８（図２およびその説明参照）、受信端末の通信仲介装置１９（図８およびその説明参照）を含む。
【００４６】
具体的に言えば、発信端末の通信仲介装置１８中のアナログ/デジタル信号変換モジュール２０は第１アナログ電話装置１４ａが発信する電話番号をデジタル信号に変換し、且つインターネット電話システム１０からのデジタル信号をアナログ信号に変換する。その後、変換モジュール２０がデジタル信号の電話番号を対応するインターネット電話アカウントＤ１０ｄに変換した後、インターネット電話モジュール２４を変換モジュール２０が変換したインターネット電話アカウントＤ１０ｄに基づき、インターネット電話システム１０を介して対応するインターネット電話アカウントの第２アナログ電話装置１４ｄに呼び出し、第１アナログ電話装置１４ａ、第２アナログ電話装置１４ｂに音声通話を実行させる。
【００４７】
受信端末の通信仲介装置１９について言えば、インターネット電話モジュール２４はインターネット電話システム１０中の第１電話装置１４ａからの呼び出しおよび/またはインターネット電話システム１０を介して第２アナログ電話装置１４ｂと音声通話を受信し、その後、アナログ/デジタル信号変換モジュール２０がインターネット電話システム１０中の第１アナログ電話装置１４ａからの呼び出しおよび/または音声通話をアナログ信号に変換し、変換後、第２アナログ電話装置１４ｂに伝達し、第１アナログ電話装置１４ａ、第２アナログ電話装置１４ｂに音声通話をさせることができる。
【００４８】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００４９】
【図１】本発明のインターネット電話システムの上に構築する音声通話システムの説明図である。
【図２】本発明のインターネット電話システムの上に構築する音声通話システムの第１実施例の説明図である。
【図３】〜
【図４】本発明のインターネット電話システムの上に構築する音声通話システムの第２実施例の説明図である。
【図５】本発明の主制御装置の説明図である。
【図６】本発明のレジストレーションプロセスの説明図である。
【図７】本発明の変換ツールの説明図である。
【図８】本発明のインターネット電話システムの上の音声通話システムの第３実施例の説明図である。
【図９】本発明のインターネット電話システムの上の音声通話システムの第４実施例の説明図である。
【符号の説明】
【００５０】
１０ インターネット電話システム
１０ａ〜１０ｄ インターネット電話アカウントＡ
１１ Ｗｉｍａｘ/Ｗｉｆｉ
１２ａ モバイルインターネット装置
１２ｂ  インターネット装置
１４ａ〜１４ｆ  アナログ電話装置
１６  自動式構内交換設備（PABX ＝Private Automatic Branch Exchange)
１８  発信端末の通信仲介装置
１９  受信端末の通話仲介装置
２０  アナログ/デジタル信号変換モジュール
２２  変換モジュール
２４  インターネット電話モジュール
３０  主制御装置
３２  供給モジュール
３４  対応データベース
３６  更新モジュール
３８  状態データベース
４０  検証モジュール
４２  オーバーフローデータベース
４４  オーバーフローモジュール
４６  継続オーバーフローモジュール
５０  変換ツール
６０  レジストレーションモジュール
６２  レジストレーションインターフェイス
６４  更新モジュール
【図１】
2008079290.tif 000003
【図２】
2008079290.tif 000004
【図３】
2008079290.tif 000005
【図４】
2008079290.tif 000006
【図５】
2008079290.tif 000007
【図７】
2008079290.tif 000008
【図８】
2008079290.tif 000009
【図９】
2008079290.tif 000010
【図６】
2008079290.tif 000011